(57)【要約】【課題】利用者が同一の分析項目に対する検量線の形状の経時的な変化を容易に確認することができ、検量線の異常判定を的確に行うことができる自動分析装置および自動分析装置の検量線表示方法を提供する。【解決手段】検体と試薬とを反応させることによって検体の成分を分析する自動分析装置１がキャリブレーション分析を行うことによって作成した同一の分析項目に対する複数の異なる検量線を、自動分析装置１のデータ処理ユニット１０２が有する表示部２２が重ねて表示する。この際、制御部２３の検索部２３２は、表示部２２で表示すべき検量線に対応するキャリブレーションデータを記憶部２４から検索する。【選択図】        図１
2008122316.tif 000002
【特許請求の範囲】
【請求項１】
検体と試薬とを反応させることによって前記検体の成分を分析する自動分析装置であって、
当該自動分析装置がキャリブレーション分析を行うことによって作成した同一の分析項目に対する複数の異なる検量線を重ねて表示する表示手段を備えたことを特徴とする自動分析装置。
【請求項２】
前記キャリブレーション分析の分析結果を記憶する記憶手段と、
前記表示手段で表示すべき検量線を前記記憶手段から検索する検索手段と、
をさらに備えたことを特徴とする請求項１記載の自動分析装置。
【請求項３】
前記表示手段で表示すべき検量線の選択入力を受ける入力手段をさらに備え、
前記検索手段は、前記入力手段が受けた選択入力に応じて検索を行うことを特徴とする請求項２記載の自動分析装置。
【請求項４】
前記検索手段は、
前記分析項目に応じて定められた検量線の表示条件に基いて検索を行うことを特徴とする請求項２記載の自動分析装置。
【請求項５】
前記検量線の表示条件の設定入力を受ける入力手段をさらに備えたことを特徴とする請求項４記載の自動分析装置。
【請求項６】
検体と試薬とを反応させることによって前記検体の成分を分析する自動分析装置が、キャリブレーション分析を行うことによって作成した検量線を表示する自動分析装置の検量線表示方法であって、
同一の分析項目に対する複数の異なる検量線を重ねて表示することを特徴とする自動分析装置の検量線表示方法。
【発明の詳細な説明】
【技術分野】
【０００１】
本発明は、検体と試薬とを反応させることによって検体の成分を分析する自動分析装置および自動分析装置がキャリブレーション分析を行うことによって作成した検量線を表示する自動分析装置の検量線表示方法に関する。
【背景技術】
【０００２】
従来、血液や体液等の検体を分析する自動分析装置では、分析項目に応じた試薬と検体との反応液に対する測光結果を濃度値に変換することによって検体の成分の分析を行っている。自動分析装置が測光結果を濃度値に変換する際には、分析項目ごとに行うキャリブレーション分析によって作成した検量線を使用する（例えば、特許文献１および２を参照）。このような自動分析装置が備える表示部では、キャリブレーション分析によって作成した検量線を表示することができる。
【０００３】
自動分析装置の表示部では、キャリブレーションポイントごとの測光結果の経時的な変化を表示することもできる（例えば、特許文献３を参照）。図８は、キャリブレーションポイントごとの測光結果の経時的な変化の表示例を示す図である。同図に示すグラフ８１は、横軸が分析日時、縦軸が測光値を表している。３つの折れ線Ｌ１〜Ｌ３は、各々異なるキャリブレーションポイントの測光値の経時的な変化を示しており、図８では、縦軸方向に沿って一列に並んだ３つのプロット点が、同一の検量線の要素をなしている。この従来技術によれば、キャリブレーションポイントごとの測光値の経時的な変化を、一つの画面上で容易にトレースすることができる。
【０００４】
【特許文献１】特許第３７２８８６１号公報
【特許文献２】特開平９−３２５１５０号公報
【特許文献３】特開平８−２１１０６４号公報
【発明の開示】
【発明が解決しようとする課題】
【０００５】
自動分析装置の利用者（オペレータ）は、表示部で表示された検量線の形状を目視することにより、その検量線の異常の有無を判定する。この際、判定対象の検量線の形状と過去に作成した検量線の形状とを比較することができれば、利用者は異常判定を的確に行うことができる。しかしながら、上述した従来技術では、利用者が、一つの画面上に表示されている内容から、同一の分析項目に対する検量線の形状の経時的な変化を確認することは困難であった。
【０００６】
本発明は、上記に鑑みてなされたものであって、利用者が同一の分析項目に対する検量線の形状の経時的な変化を容易に確認することができ、検量線の異常判定を的確に行うことができる自動分析装置および自動分析装置の検量線表示方法を提供することを目的とする。
【課題を解決するための手段】
【０００７】
上述した課題を解決し、目的を達成するために、本発明に係る自動分析装置は、検体と試薬とを反応させることによって前記検体の成分を分析する自動分析装置であって、当該自動分析装置がキャリブレーション分析を行うことによって作成した同一の分析項目に対する複数の検量線を重ねて表示する表示手段を備えたことを特徴とする。
【０００８】
また、本発明に係る自動分析装置は、上記発明において、前記キャリブレーション分析の分析結果を記憶する記憶手段と、前記表示手段で表示すべき検量線を前記記憶手段から検索する検索手段と、をさらに備えたことを特徴とする。
【０００９】
また、本発明に係る自動分析装置は、上記発明において、前記表示手段で表示すべき検量線の選択入力を受ける入力手段をさらに備え、前記検索手段は、前記入力手段が受けた選択入力に応じて検索を行うことを特徴とする。
【００１０】
また、本発明に係る自動分析装置は、上記発明において、前記検索手段は、前記分析項目に応じて定められた検量線の表示条件に基いて検索を行うことを特徴とする。
【００１１】
また、本発明に係る自動分析装置は、上記発明において、前記検量線の表示条件の設定入力を受ける入力手段をさらに備えたことを特徴とする。
【００１２】
本発明に係る自動分析装置の検量線表示方法は、検体と試薬とを反応させることによって前記検体の成分を分析する自動分析装置が、キャリブレーション分析を行うことによって作成した検量線を表示する自動分析装置の検量線表示方法であって、同一の分析項目に対する複数の異なる検量線を重ねて表示することを特徴とする。
【発明の効果】
【００１３】
本発明によれば、キャリブレーション分析を行うことによって作成した同一の分析項目に対する複数の異なる検量線を一つの画面上で重ねて表示することにより、利用者が同一の分析項目に対する検量線の形状の経時的な変化を容易に確認することができ、検量線の異常判定を的確に行うことができる。
【発明を実施するための最良の形態】
【００１４】
以下、添付図面を参照して本発明を実施するための最良の形態（以後、「実施の形態」と称する）を説明する。
【００１５】
（実施の形態１）
図１は、本発明の実施の形態１に係る自動分析装置要部の構成を模式的に示す図である。同図に示す自動分析装置１は、血液や体液等の検体（試料）とその検体の検査項目に応じた試薬とを所定の反応容器にそれぞれ分注し、その反応容器内で反応した液体に対して光学的な測定を行う測定ユニット１０１と、測定ユニット１０１を含む自動分析装置１の制御を行うとともに測定ユニット１０１における測定結果の分析を行うデータ処理ユニット１０２とを有し、これら二つのユニットが連携することによって複数の検体の生化学的な分析を自動的かつ連続的に行う装置である。なお、ここでいう「液体」には、微量の固体成分を含有する液体も含まれる。
【００１６】
測定ユニット１０１は、主として一般検体を収容する検体容器３１が搭載された複数のラック３２を収納して順次移送する検体移送部１１と、一般検体以外の各種検体（キャリブレーション用検体、精度管理検体、緊急検体、ＳＴＡＴ検体、再検査用検体等）を収容する検体容器３３を保持する検体容器保持部１２と、試薬容器３４を保持する試薬容器保持部１３と、検体と試薬を反応させる反応容器３５を保持する反応容器保持部１４と、を備える。
【００１７】
また、測定ユニット１０１は、検体移送部１１上の検体容器３１や検体容器保持部１２上の検体容器３３に収容された各種検体を反応容器３５に分注する検体分注部１５と、試薬容器保持部１３上の試薬容器３４に収容された試薬を反応容器３５に分注する試薬分注部１６と、反応容器３５の内部に収容された液体を攪拌する攪拌部１７と、光源から照射されて反応容器３５内を通過した光を受光して所定の波長成分の強度等を測定する測光部１８と、イオン交換水等から成る洗浄液を用いて反応容器保持部１４上の反応容器３５の洗浄を行う反応容器洗浄部１９と、を備える。
【００１８】
検体容器３１、３３には、内部に収容する検体を識別する識別情報を所定の情報コード（バーコード、２次元コード等）にコード化して記録した情報コード記録媒体がそれぞれ貼付されている（図示せず）。試薬容器３４にも、内部に収容する試薬を識別する識別情報を所定の情報コードにコード化して記録した情報コード記録媒体が貼付されている（図示せず）。このため、測定ユニット１０１には、検体容器３１に貼付された情報コードを読み取る情報コード読取部ＣＲ１、検体容器３３に貼付された情報コードを読み取る情報コード読取部ＣＲ２、試薬容器３４に貼付された情報コードを読み取る情報コード読取部ＣＲ３が、検体移送部１１、検体容器保持部１２、試薬容器保持部１３にそれぞれ設けられている。
【００１９】
検体容器保持部１２、試薬容器保持部１３、反応容器保持部１４は、検体容器３３、試薬容器３４、反応容器３５をそれぞれ収容保持するホイールと、このホイールの底面中心に取り付けられ、その中心を通る鉛直線を回転軸としてホイールを回転させる駆動手段とを有する（図示せず）。各容器保持部の内部は一定の温度に保たれている。例えば、試薬容器保持部１３の内部は、試薬の劣化や変性を抑制するために室温よりも低温に設定される。また、反応容器保持部１４の内部は、人間の体温と同程度の温度に設定される。なお、生化学的な分析を行う際には、一つの検体に対して２種類の試薬を用いることが多いため、第１試薬用の試薬容器保持部１３と第２試薬用の試薬容器保持部１３とを別個に設けるとともに、各試薬容器保持部１３に対応する試薬分注部１６を別個に設けてもよい。
【００２０】
検体分注部１５は、検体の吸引や吐出を行う細管状のプローブ１５１と、プローブ１５１を支持するアーム１５２と、プローブ１５１を洗浄するプローブ洗浄部１５３と、吸排シリンジ等によって実現される吸排機構と、プローブ１５１の先端が液面に達したのを検知する液面検知機構とを有する（吸排機構と液面検知機構は図示せず）。プローブ１５１は、データ処理ユニット１０２の制御のもと、鉛直方向の昇降および水平方向の回転を行い、検体容器３１または３３から検体を吸引した後、所定の反応容器３５へ検体を吐出する。試薬分注部１６も、検体分注部１５と同様に、プローブ１６１、アーム１６２、プローブ洗浄部１６３、図示しない吸排機構および液面検知機構を有する。プローブ１６１は、データ処理ユニット１０２の制御のもと、鉛直方向の昇降および水平方向の回転を行い、試薬容器３４から試薬を吸引した後、所定の反応容器３５へ試薬を吐出する。
【００２１】
測光部１８は、白色光を照射する光源１８ａと、反応容器３５を透過してきた白色光を分光する分光光学系１８ｂと、分光光学系１８ｂで分光した光を成分ごとに受光して電気信号に変換する受光素子１８ｃとを有する。
【００２２】
ところで、図１では、測定ユニット１０１の主要な構成要素を模式的に示すことを主眼としているため、構成要素間の位置関係は必ずしも正確ではない。測定ユニット１０１の構成要素間の正確な位置関係は、試薬容器保持部１３の数や分注動作のインターバルにおける反応容器保持部１４のホイールの回転態様などの各種条件に応じて定められる。
【００２３】
次に、データ処理ユニット１０２の構成を説明する。データ処理ユニット１０２は、ＣＰＵ，ＲＯＭ，ＲＡＭ等を具備したコンピュータによって実現される。データ処理ユニット１０２は、キーボードやマウスなどを有し、検体の分析に必要な情報や自動分析装置１の動作指示信号などを含む情報等の入力を受ける入力部２１と、液晶等のディスプレイ装置を有し、検体の分析に関する情報等を表示する表示部２２と、自動分析装置１が有する各機能または各手段の制御を行う制御部２３と、キャリブレーション分析の結果得られたキャリブレーションデータ等を含む各種情報を記憶する記憶部２４と、を備える。
【００２４】
制御部２３は、測定ユニット１０１の測定結果に基づいた分析演算を行い、検体の分析データを生成する演算部２３１と、記憶部２４で記憶するキャリブレーションデータから所定の検索条件に基いた検索を行う検索部２３２とを有する。演算部２３１は、具体的な分析演算として、記憶部２４で記憶するキャリブレーションデータに含まれる検量線を用いることにより、測光部１８で測定した吸光度を濃度に変換する演算を行う。
【００２５】
次に、本実施の形態１に係る自動分析装置の検量線表示方法について説明する。利用者は、入力部２１から所定の操作入力を行うことにより、検量線を表示する検量線表示画面を表示部２２に表示させる。図２は、表示部２２における検量線表示画面の初期状態の表示例を示す図である。同図に示す検量線表示画面４１には、横軸が濃度値、縦軸が測光値（吸光度）を表すグラフ４２、グラフ４２で表示する内容を選択するデータ選択ボタン４３、および検量線表示画面４１の表示をキャンセルするキャンセルボタン４４が表示されている。図２に示す初期状態において、グラフ４２には未だ検量線が表示されていない。
【００２６】
続いて、利用者が入力部２１の一部をなすマウスを操作し、表示部２２で表示されているマウスポインタＰをデータ選択ボタン４３にあわせた後、マウスの所定のボタンを押下すると、表示部２２はデータ選択画面を表示する。この際、表示部２２は、検量線表示画面４１を開いたままの状態でデータ選択画面をさらに表示するようにしてもよい。なお、ここで説明した処理選択動作は、マウス以外のポインティングデバイス（トラックパッド、トラックボール等）を用いても実現可能である。
【００２７】
以後、マウス等のポインティングデバイスを操作してマウスポインタＰを画面上に設けられたボタンにあわせた後、そのポインティングデバイスが有する所定のボタン等によって処理を選択する動作を、単に「ボタンをクリックする」と表現する。
【００２８】
図３は、表示部２２におけるデータ選択画面の表示例を示す図である。同図に示すデータ選択画面５１では、利用者が入力部２１を操作することによって最大二つのキャリブレーションデータ（基本データ、比較データ）を選択することができる。
【００２９】
基本データは、異常判定の対象である検量線に対応したキャリブレーションデータである。図３では、基本データとして、分析日時が「２００６年１１月３０日１１時４５分」のキャリブレーションデータが選択されている。この選択を行う際、利用者は、基本データの分析日時を表示する分析日時表示部５２の右側に設けられた選択用ボタン５３をクリックし、分析日時表示部５２に表示される複数の候補から所望の分析日時を選択する。
【００３０】
比較データは、基本データと比較するために選択されるキャリブレーションデータである。データ選択画面５１では、「比較データ」と表示されている左側の領域にボックス５４が設けられている。利用者がボックス５４をクリックすると、ボックス５４の内部にチェックが表示され、比較データの表示が選択される。続いて、利用者は、比較データの分析日時を表示する分析日時表示部５５の右側に設けられた選択用ボタン５６をクリックし、分析日時表示部５５に表示された複数の候補（図３では５つの候補を表示）の中から所望の分析日時をクリックする。
【００３１】
利用者が、以上説明したデータ選択処理を完了する場合には、ＯＫボタン５７をクリックする。これに対して、利用者がデータ選択処理をキャンセルする場合には、キャンセルボタン５８をクリックする。
【００３２】
この後、制御部２３の検索部２３２は、上述したデータ選択処理によって選択されたキャリブレーションデータを記憶部２４から検索する。図４は、検索部２３２の検索によって得られたキャリブレーションデータに対応する検量線の表示例を示す図である。同図に示すグラフ４２は、２本の異なる検量線を重ねて表示している。具体的には、実線で記載された検量線Ｃ１が基本データに対応し、破線で示された検量線Ｃ２が比較データに対応している。この２本の検量線Ｃ１、Ｃ２は、各々の座標系が一致している。また、検量線Ｃ１のプロット点Ｐ１（四角形で表示）および検量線Ｃ２のプロット点Ｐ２（円で表示）は、各々のキャリブレーションポイントを示している（図４において、各検量線のキャリブレーションポイントは３つである）。なお、複数の異なる検量線を重ねて表示する際には、検量線ごとに色を変えて表示してもよい。
【００３３】
ここで、利用者がグラフ４２を用いた検量線の異常判定を行う場合の利点を、図８に示す従来法のグラフ８１を用いた検量線の異常判定を行う場合と比較して説明する。まず、利用者がグラフ８１を用いて検量線の異常判定を行う場合、キャリブレーションポイントごとの経時的な変化を確認することはできるが、異なる分析日時の検量線の形状を比較することは困難である。特に、検量線が曲線をなす分析項目の場合、利用者がグラフ８１の折れ線Ｌ１〜Ｌ３だけを用いて異なる検量線の形状を比較することはほとんど不可能である。これに対して、利用者がグラフ４２を用いて検量線の異常判定を行う場合には、ともに曲線をなす検量線Ｃ１の形状と検量線Ｃ２の形状を容易に比較することができる。したがって、利用者は、グラフ４２を用いることによって検量線の異常判定を的確に行うことができる。
【００３４】
以上説明した本発明の実施の形態１によれば、キャリブレーション分析を行うことによって作成した同一の分析項目に対する複数の異なる検量線を一つの画面上で重ねて表示することにより、利用者が同一の分析項目に対する検量線の形状の経時的な変化を容易に確認することができ、検量線の異常判定を的確に行うことができる。
【００３５】
また、本実施の形態１によれば、表示部で表示すべき検量線の選択入力を受け、この選択入力に応じて記憶部内のキャリブレーションデータを検索して表示することにより、利用者が表示する検量線を任意に選択することができる。
【００３６】
さらに、本実施の形態１によれば、利用者は検量線の形状の比較を同じ画面上で容易に行うことができるため、キャリブレーションデータの異常判定を行う際の負担が大幅に軽減される。この結果、利用者による検量線の異常判定の精度が向上し、結果的に自動分析装置におけるキャリブレーションデータの信頼性を一段と向上させることが可能となる。
【００３７】
なお、表示部２２で表示する検量線の数は３本以上でもよい。換言すれば、本実施の形態１では、基本データに対して２つ以上の比較データを選択できるようにしてもよい。
【００３８】
また、キャリブレーションデータを選択する際には、分析日時だけでなく、キャリブレーション分析に用いた試薬ロットの情報や試薬ボトルの情報、あるいはキャリブレーション用検体のロット（キャリブレータロット）の情報などを選択条件として加えることも可能である。
【００３９】
（実施の形態２）
本発明の実施の形態２は、自動分析装置が、予め設定された表示条件にしたがって自動的に複数の検量線を表示することを特徴とする。本実施の形態２に係る自動分析装置の構成は、上記実施の形態１に係る自動分析装置１の構成とほぼ同じである（図１を参照）が、制御部２３の検索部２３２の検索処理と記憶部２４で記憶する内容は、上記実施の形態１と異なる。
【００４０】
図５は、本実施の形態２に係る自動分析装置の検量線表示方法の処理の概要を示すフローチャートである。図５では、利用者が、入力部２１から表示すべき分析項目を選択入力した後に行われる処理の概要を示している。
【００４１】
図５において、制御部２３の検索部２３２が、指定された分析項目のキャリブレーションデータを、所定の検索条件に基いて記憶部２４から検索する（ステップＳ１）。この際の検索条件は、分析項目によって異なる。このため、記憶部２４は、分析項目と検索条件とを対応付けて記憶している。また、検索部２３２は、分析項目に応じた検索条件を記憶部２４から読み出し、この読み出した検索条件に基いてキャリブレーションデータの検索を行う。
【００４２】
ここで、検索条件について説明する。例えば、試薬ロットごとの検量線が必要な分析項目の場合、同一試薬ロットの検量線を重ねて表示すべきである。したがって、このような分析項目の検量線の検索条件は、「同一試薬ロット」とするのが好ましい。これに対して、試薬ボトルごとの検量線が必要な分析項目の場合には、同一試薬ボトルの検量線を重ねて表示すべきなので、検索条件は「同一試薬ボトル」とするのが好ましい。また、試薬ロットや試薬ボトルに応じた検量線を作成する必要がない分析項目の場合には、特別な検索条件を課す必要はない。他にも、前述した試薬に関する情報と並立可能な検索条件として、「同一キャリブレータロット」を採用することもできる。
【００４３】
ステップＳ１で検索部２３２が検索した結果、選択された分析項目のキャリブレーションデータが得られた場合（ステップＳ２，Ｙｅｓ）、取得したキャリブレーションデータの数ｎcが、表示部２２で重ねて表示する検量線の本数Ｎ以下であれば（ステップＳ３，Ｙｅｓ）、表示部２２は取得したキャリブレーションデータに対応する検量線を全て表示する（ステップＳ４）。他方、取得したキャリブレーションデータの数ｎcが、表示部２２で重ねて表示する検量線の本数Ｎよりも多ければ（ステップＳ３，Ｎｏ）、表示部２２は所定の表示条件にしたがってキャリブレーションデータを取捨選択し、残ったキャリブレーションデータに対応する検量線を表示する（ステップＳ５）。ここでいう「表示条件」には、検索部２３２における検索条件と対応する条件、重ねて表示する検量線の本数Ｎ、キャリブレーションデータを取捨選択する際の条件などが含まれる。このうち、キャリブレーションデータを取捨選択する際の条件として、例えば最新のキャリブレーションデータから新しい順に選択するという条件を採用することができる。
【００４４】
なお、ステップＳ１で検索部２３２が検索した結果、選択された分析項目のキャリブレーションデータが得られなかった場合（ステップＳ２，Ｎｏ）には、表示部２２が検量線表示画面４１のグラフ４２上に「キャリブレーションデータなし」と表示し（ステップＳ６）、一連の処理を終了する。
【００４５】
以上説明した本発明の実施の形態２によれば、キャリブレーション分析を行うことによって作成した同一の分析項目に対する複数の異なる検量線を一つの画面上で重ねて表示することにより、利用者が同一の分析項目に対する検量線の形状の経時的な変化を容易に確認することができ、検量線の異常判定を的確に行うことができる。
【００４６】
また、本実施の形態２によれば、分析項目に応じて定められた検量線の表示条件に基いて記憶部内のキャリブレーションデータを検索し、この検索によって得られた複数の検量線を表示することにより、分析項目ごとに最適な検量線の表示を行うことができる。
【００４７】
さらに、本実施の形態２によれば、上記実施の形態１と同様、利用者がキャリブレーションデータの異常判定を行う際の負担が大幅に軽減され、結果的に自動分析装置におけるキャリブレーションデータの信頼性を一段と向上させることが可能となる。
【００４８】
（実施の形態２の変形例）
本実施の形態２の一変形例は、利用者が表示部２２における表示条件の設定を行うことが可能な構成を有する。図６は、この一変形例において、表示部２２が表示する表示条件設定画面の例を示す図である。同図に示す表示条件設定画面６１において、利用者は、分析項目を表示する分析項目表示部６２の右側に設けられている選択用ボタン６３をクリックし、分析項目表示部６２に表示された複数の候補の中から所望の分析項目を選択する。図６では、分析項目としてアルブミン（ＡＬＢ）が選択されている。
【００４９】
表示条件設定画面６１には、分析項目に関する表示条件として、「同一試薬ロット」、「同一試薬ボトル」、「同一キャリブレータロット」、「指定なし」の４つの条件が表示されている。利用者は、各表示条件記載箇所の左側にそれぞれ設けられているボックス６４ａ〜６４ｄの中で所望の表示条件に対応するボックスをクリックすることにより、分析項目に関する表示条件を選択する。図６では、分析項目に関する表示条件として、「同一試薬ロット」が選択されている。
【００５０】
上述した４つの条件は、検索部２３２における検量線の検索条件に対応している。この意味で、本変形例においては、利用者が表示条件を設定することによって、検索部２３２の検索条件も変更される。
【００５１】
表示条件設定画面６１において、利用者が、表示部２２で重ねて表示する検量線の本数Ｎを設定する際には、検量線本数表示部６５の右側に設けられている選択用ボタン６６をクリックし、検量線本数表示部６５に表示された複数の候補の中から所望の本数を選択する。図６では、Ｎの値として「３」が選択されている。
【００５２】
利用者が、以上説明した表示条件設定処理を完了する場合には、ＯＫボタン６７をクリックする。これに対して、利用者が表示条件設定処理をキャンセルする場合には、キャンセルボタン６８をクリックする。
【００５３】
なお、分析項目に応じた表示条件のデフォルト値を予め記憶部２４で記憶しておき、利用者が所望の分析項目を選択したとき、表示条件設定画面６１のボックス６４ａ〜６４ｄのうち、デフォルト値に相当するボックスに対して自動的にチェックが付加されるようにしてもよい。また、キャリブレーションデータの数ｎcが、表示部２２で重ねて表示する検量線の本数Ｎを超えた場合（ｎc＞Ｎ）の検量線の選択条件を、利用者が入力部２１から設定入力できるようにしてもよい。
【００５４】
以上説明した本実施の形態２の一変形例によれば、利用者が表示条件を設定可能な構成とすることにより、利用者のニーズに応じた検量線の表示を行うことができる。
【００５５】
（その他の実施の形態）
ここまで、本発明を実施するための最良の形態として、実施の形態１および２を詳述してきたが、本発明はそれら２つの実施の形態によってのみ限定されるべきものではない。例えば、本発明において表示部が検量線を表示する際には、最初に１本の検量線（基本データに対応）のみを表示しておき、入力部からの入力に応じて複数の検量線を重ねて表示するようにしてもよい。図７は、この場合の検量線表示画面の初期状態の表示例を示す図である。同図に示す検量線表示画面７１には、横軸が濃度値、縦軸が測光値を表すグラフ７２、グラフ７２で検量線を複数表示する際に選択する複数表示ボタン７３、および検量線表示画面７１の表示をキャンセルするキャンセルボタン７４が表示されている。図７のグラフ７２には、１本の検量線のみ表示されているが、利用者が複数表示ボタン７３をクリックすると、図４に示すグラフ４２と同様に、複数の異なる検量線が表示される。
【００５６】
また、本発明において、表示部で重ねて表示した複数の検量線の形状が顕著に異なる場合には、検量線表示画面上で異常が発生したことを報知する内容の表示を行うようにしてもよい。この場合、検量線の形状の差異を判定する判定基準は、分析項目に応じて適宜定めればよい。
【００５７】
さらに、本発明は、免疫学的な分析や遺伝学的な分析を行う自動分析装置に対して適用することも可能である。
【００５８】
このように、本発明は、ここでは記載していない様々な実施の形態等を含みうるものであり、特許請求の範囲により特定される技術的思想を逸脱しない範囲内において種々の設計変更等を施すことが可能である。
【図面の簡単な説明】
【００５９】
【図１】本発明の実施の形態１に係る自動分析装置要部の構成を模式的に示す図である。
【図２】本発明の実施の形態１に係る自動分析装置の表示部における検量線表示画面の初期状態の表示例を示す図である。
【図３】本発明の実施の形態１に係る自動分析装置の表示部におけるデータ選択画面の表示例を示す図である。
【図４】本発明の実施の形態１に係る自動分析装置の検量線表示方法における検量線の表示例を示す図である。
【図５】本発明の実施の形態２に係る自動分析装置の検量線表示方法の処理の概要を示すフローチャートである。
【図６】本発明の実施の形態２の一変形例に係る自動分析装置の表示部における表示条件設定画面の表示例を示す図である。
【図７】本発明の他の実施の形態に係る自動分析装置の表示部における検量線表示画面の初期状態の表示例を示す図である。
【図８】従来法による検量線の経時的変化の表示例を示す図である。
【００６０】
１  自動分析装置
１１  検体移送部
１２  検体容器保持部
１３  試薬容器保持部
１４  反応容器保持部
１５  検体分注部
１６  試薬分注部
１７  攪拌部
１８  測光部
１９  反応容器洗浄部
２１  入力部
２２  表示部
２３  制御部
２４  記憶部
３１、３３  検体容器
３２  ラック
３４  試薬容器
３５  反応容器
４１、７１  検量線表示画面
５１  データ選択画面
５２、５５  分析日時表示部
６１  表示条件設定画面
６２  分析項目表示部
６５  検量線本数表示部
１０１  測定ユニット
１０２  データ処理ユニット
１５１、１６１  プローブ
１５２、１６２  アーム
１５３、１６３  プローブ洗浄部
２３１  演算部
２３２  検索部
Ｃ１、Ｃ２  検量線
ＣＲ１、ＣＲ２、ＣＲ３  情報コード読取部
【図１】
2008122316.tif 000003
【図２】
2008122316.tif 000004
【図３】
2008122316.tif 000005
【図４】
2008122316.tif 000006
【図５】
2008122316.tif 000007
【図６】
2008122316.tif 000008
【図７】
2008122316.tif 000009
【図８】
2008122316.tif 000010